(57)【要約】【課題】トイレ使用時や雨の日の外出時において、容易に和服の裾や袖を捲り上げた状態を維持することができ、和服の裾や袖の汚れやシワの発生を軽減し、且つ外出時における携帯し忘れや、着物姿に影響を及ぼすことを防止する。【解決手段】和服２０の帯板付着具１０であって、和服２０の帯２８部分に装着される板状の帯板１７と、帯板１７に連結されたベルト状の連結部１２と、ベルトの先端に取付けられ、布を把持可能な把持部材１５とを有することを特徴とする。【選択図】  図２
2011058140.tif 000002
【特許請求の範囲】
【請求項１】
和服の帯部分に装着される板状の帯板と、
前記帯板に付着されたベルト状の連結部と、
前記ベルトの先端に取付けられ、布を把持可能な把持部材と
を有することを特徴とする和服の帯板付着具。
【請求項２】
前記連結部は、
前記把持部材に接続され、可撓性を有する弾性ベルトと、
一対の面状部材が貼り合わされてなる板状の固定部と、
前記弾性ベルトと前記固定部との間に配置され、該弾性ベルトの後端部に接続されて該弾性ベルトの延長部分を形成させる延長布地と
を備え、
前記延長布地は、前記延長部分のみが前記一対の面状部材の間に挟み込まれ、前記弾性ベルトが該一対の面状部材間に入り込まないようになっている
ことを特徴とする請求項１に記載の和服の帯板付着具。
【請求項３】
板状の帯板を和服の帯部分に装着するステップと、
装着された状態の前記帯板に付着されたベルト状の連結部を、該帯板の外方へ配置させるステップと、
前記ベルトの先端に取付けられた把持部材によって、前記和服の裾を把持させるステップと
を有することを特徴とする和服の裾汚れ防止方法。
【発明の詳細な説明】
【技術分野】
【０００１】
本発明は、和服着用の際におけるトイレ使用時や、雨の日の外出時に、水ハネや汚れを軽減する帯板に付着された裾汚れ防止用留具である帯板付着具とその使用方法に関するものである。
【背景技術】
【０００２】
今日、日本の伝統美である和服は、主に冠婚葬祭の際に着用されることがある。しかし、洋服とは異なり、和服は、着用する者の身体の曲線の形状に沿わないという問題があり、不慣れな人にとっては、その着用は煩雑であった。
【０００３】
そのため、従来より、着付けを簡易化する種々の技術がある（例えば特許文献１）。具体的には、和服を上衣と下衣に分割し、紐を使用しない構成とすることで、簡易に着用することができる。
【０００４】
しかしながら、上記特許文献１に開示された発明により和服を着用することは簡易になったとしても、着用中において、裾や袖が長く厚みのある和服は、トイレ使用時や雨の日の外出においては洋服とは異なり、種々の問題があった。
【０００５】
具体的には、トイレ使用時においては、和服や長襦袢などの裾を胸のあたりまでまくり揚げて、帯に和服の裾端を挟み込んだり左右の裾端同士を結んだりしていたが、和服には厚みがあるため、固定が不安定となり、裾や袖が解けてしまい、和服の裾や袖が床下に触れてしまうことがあった。特に和服を着慣れない若い女性などが、袴などの裾の長いスカート状の和服を着用している場合には、袖と裾、両方の始末が困難であるという問題があった。
【０００６】
さらに、雨の日の外出時においては、雨コートを着ても和服の裾は、雨コートの裾と同寸法に近いため、濡れ易いという問題があった。従来は一番上に着る和服の裾のみを帯の上の位置まで捲り上げて紐などで帯の周りに結わえていたが、この方法の場合、コートを脱いで紐を解いた後、湿気で和服の裾にシワが付いて消えなくなっていた。
【先行技術文献】
【特許文献】
【０００７】
【特許文献１】特開２００４−１３７６０８号公報
【発明の概要】
【発明が解決しようとする課題】
【０００８】
そこで本発明は、和服の帯板に付属され、トイレ使用時や雨の日の外出時において、簡易に和服の裾や袖を捲り上げた状態を維持することができ、和服の裾や袖の汚れやシワの発生を軽減することができ、且つ外出時における携帯し忘れや、着物姿に影響を及ぼすことを防止する和服の帯板付着具及び裾汚れ防止方法を提供することを目的とする。
【課題を解決するための手段】
【０００９】
上記課題を解決するために、本発明は、和服の帯部分に装着される板状の帯板と、帯板に付着されたベルト状の連結部と、ベルトの先端に取付けられ、布を把持可能な把持部材とを有する。
【００１０】
また、他の発明は、和服の裾汚れ防止方法であって、
（１）板状の帯板を和服のウエスト部分に装着するステップと、
（２）装着された状態の帯板に連結されたベルト状の連結部を、帯板の外方へ配置させるステップと、
（３）ベルトの先端に取付けられた把持部材によって、和服の裾を把持させるステップとを有する。
【００１１】
このような発明によれば、従来より和服に装着されてある帯板を利用し、それに連結部と連結された把持部材によって、容易に和服の裾や袖を捲り上げ、その状態を維持することができるので、トイレ時や雨の日の外出時において和服の裾や袖の汚れやシワの発生を軽減することができる。
【００１２】
さらに、従来より和服に装着されてある帯板に付着しているので、外出時において裾汚れ防止用留具を携帯し忘れることを防止することができる。また、不使用時には帯の内部に配置させ、使用時においてのみ連結部の先端に取り付けられた把持部材を帯板の外方へ配置させるので、着物姿に影響を及ぼすことを防止する。
【００１３】
また、上記発明において、連結部は、把持部材に接続され、可撓性を有する弾性ベルトと、一対の面状部材が貼り合わされてなる板状の固定部と、弾性ベルトと固定部との間に配置され、弾性ベルトの後端部に接続されて弾性ベルトの延長部分を形成させる延長布地とを備え、延長布地は、延長部分のみが一対の面状部材の間に挟み込まれ、弾性ベルトが一対の面状部材間に入り込まないようになっていることが好ましい。
【００１４】
この場合には、一対の面状部材に挟まれる延長布地は、弾性テープよりも織糸が密で細かいため張りを有するので、連結部分に一定の強度を保つことができる。また、延長布地は弾性ベルトよりも厚みがないため、一対の面状部材が重なり合った際に生じる内側の空間を狭くすることができ、それぞれの面状部材をより接着させることができる。
【００１５】
なお、連結部と把持部材とを二組用意し、一対として帯板に付着させることが好ましい。この場合には、和服の裾や袖を把持できる箇所が増え、和服の裾や袖が把持された状態を安定的に維持することができ、より適切に和服の裾や袖を維持することができる。
【発明の効果】
【００１６】
以上述べたように、この発明によれば、和服の帯板に付属され、トイレ使用時や雨の日の外出時において、簡易に和服の裾や袖を捲り上げた状態を維持することができ、和服の裾や袖の汚れやシワの発生を軽減することができる。
【図面の簡単な説明】
【００１７】
【図１】第１実施形態に係る和服着用時における帯板付着具の使用状態を示す説明図である。
【図２】第１実施形態に係る帯板付着具の全体構成を示す概念図である。
【図３】第１実施形態に係る裾汚れ防止用留具を示す説明図である。
【図４】第１実施形態に係るトイレ使用時における帯板付着具の形態及びその経過状態を示す説明図である。
【図５】第１実施形態に係るトイレ使用時における帯板付着具の形態及びその経過状態を示す説明図である。
【図６】第２実施形態に係る雨コート着用時における帯板付着具の形態及びその経過状態を示す説明図である。
【図７】第２実施形態に係る雨コート着用時における帯板付着具の形態及びその経過状態を示す説明図である。
【図８】第３実施形態に係る裾汚れ防止用留具の一部を側面より示す説明図である。
【発明を実施するための形態】
【００１８】
［第１実施形態］
以下に添付図面を参照して、本発明に係る帯板付着具の実施形態を詳細に説明する。図１は、本実施形態に係る和服着用時における帯板付着具の使用状態を示す説明図であり、図２は、本実施形態に係る帯板付着具の全体構成を示す概念図である。
【００１９】
図１に示すように、和服２０の全体的な構成は、既存の和服と同様の構成を有するもので、長い裾や袖を有する和服２０を羽織った状態で、和服２０の上面より帯２８を締めている。そして、本実施形態においては、和服２０と帯２８の間に帯板付着具１０を備えている。
【００２０】
帯板付着具１０は、図２に示すように、帯板１７と、裾汚れ防止用留具８とから構成されている。
【００２１】
帯板１７は、図２（ａ）に示すように、和服２０の帯２８を巻く前に和服のウエスト部分に装着され、和服の帯２８を締める際に帯２８の形状を整える板状の固定具である。本実施形態において、その帯板１７には、図２（ｂ）に示すように、帯板の裏面に２つの裾汚れ防止用留具８が連結されている。本実施形態において、２つの裾汚れ防止用留具８の位置は、帯板裏面１７ｂの中心より両横同寸離れた位置に取り付けられている。
【００２２】
ここで、帯板１７と連結する裾汚れ防止用留具８の全体構成について説明する。図３（ａ）は、本実施形態に係る裾汚れ防止用留具８の全体構成を上面より示す説明図であり、図３（ｂ）及び（ｃ）は、本実施形態に係る裾汚れ防止用留具８の一部を側面より示す説明図である。
【００２３】
裾汚れ防止用留具８は、連結部１２によって帯板１７に固定され、和服の裾や袖を把持する部材であり、本実施形態においては、連結部１２と、把持部材１５とから構成されている。
【００２４】
把持部材１５は、ベルトの先端に取付けられ、布を把持可能なクリップ部材である。本実施形態において、把持部材１５は、図３（ｂ）に示すように、上下の把持部１５ａ，１５ｂが軸受け１５ｃを中心として、外拡がりに開閉するように構成され、その開放方向と反対方向において上下の把持部１５ａ，１５ｂと係合し、閉塞状態を維持する維持部１５ｄを有している。本実施形態において、把持部材１５は、維持部１５ｄにより閉塞状態となった場合には、上下の把持部１５ａ，１５ｂと、維持部１５ｄとが水平状態となるように構成されている。また、この維持部１５ｄに、連結部１２が連結されている。
【００２５】
なお、本実施形態において、この把持部材１５は、使用時には、図１に示すように、帯２８から外側に飛び出るように構成されている。
【００２６】
連結部１２は、帯板１７の裏面に連結されるように付着されたベルトであり、弾性ベルト１８と、固定部１３と、延長布地１６とから構成されている。
【００２７】
弾性ベルト１８は、把持部材１５に接続され、可撓性を有するベルトであり、その素材は、天然ゴムや合成ゴムのような有機高分子を主成分とする弾性ゴムで構成されている。そして、弾性ベルト１８の一方の端には、把持部材１５が連結しており、その他方の端には、延長布地１６が連結されている。
【００２８】
固定部１３は、一対の面状部材が貼り合わされて作られてる。一対の面状部材１３ａ，１３ｂは、それぞれ中心部に一定の強度を有するボール紙１３ｃを有しており、その周りを布地１３ｄが覆う構成となっている。そして、固定部１３は、このような一対の面状部材１３ａ，１３ｂをそれぞれ貼り合わすことで形成される。
【００２９】
また、固定部１３における片側の外面には、接着部１９を備えている。この接着部１９は、和服の帯板裏面１７ｂと接着する部材であり、本実施形態においては、強力な両面テープ、又は帯板裏面１７ｂに縫いつけた構成とする。なお、この接着部１９における固定方法としては、帯板１７と着脱可能に接着するようにしてもよい。この場合は、接着部１９は、マジックテープ（登録商標）又は、両面テープを用いた構成とする。これにより、既存の帯板１７に裾汚れ防止用留具８を接着させるのみで使用することができ、裾汚れ防止用留具８を単体、又は複数個を一組とし使用することも可能である。
【００３０】
延長布地１６は、弾性ベルト１８と固定部１３との間に配置され、弾性ベルト１８の後端部に接続されて弾性ベルト１８の延長部分を形成させる布状のベルトである。本実施形態において、延長布地１６は、図３（ｃ）に示すように、延長部分のみが一対の面状部材１３ａ，１３ｂの間に挟み込まれ、弾性ベルト１８が一対の面状部材１３ａ，１３ｂの間に入り込まないようになっている。なお、延長布地１６の長さは、弾性ベルト１８の長さより約「３分の１」程度の長さとなっている。
【００３１】
（裾汚れ防止用留具の使用方法）
このような帯板付着具１０は、以下の方法で、トイレ時において使用される。図４及び図５は、その場合の帯板付着具１０の使用態様を示す説明図である。
【００３２】
ここで、和服を着用する際には、和服着用後、帯２８を巻く前に、和服２０のウエスト部分に裾汚れ防止用留具８が付着した帯板１７を装着し、その上に帯２８を巻く。そして、図１に示すように、装着された状態の帯板１７に連結されたベルト状の連結部１２を、帯板上部１７ａより帯２８の外方へ配置させる。
【００３３】
そして、ベルトの先端に取付けられた把持部材１５によって、和服の裾２１を把持させる。
【００３４】
具体的には、図４に示すように、和服の裾の裏側２１ａが外側に表されるように、和服の裾２１を左右共帯の上までまくり上げる。そして、まくり上げ、袋状になった中に両袖を包み込んで、左右の裾２１をしっかり袋の口を閉じるように打ち合わせ、片方の把持部材１５で把持させる。
【００３５】
次に、図５に示すように下着である長襦袢の左右の裾３１も長襦袢の裾の裏側３１ａが外側に表されるように和服の袋状の表面を覆った状態でまくり上げ、左右の裾を閉じるようにあわせて、もう一方の把持部材１５で把持させる。和服の裾２１及び、長襦袢の裾３１がまくり上げられると、和服の下着（裾除）３２が表れた状態となり、この状態においてトイレにて用を足す。
【００３６】
なお、把持部材１５は、真直ぐになるとその状態を維持されるため、和服２０の下方への重みで口が開くことはない。
【００３７】
［第２実施形態］
上述した実施形態では、和服の裾２１と長襦袢の裾３１とを、帯板付着具１０によって留めることでトイレ使用時における和服の裾２１が汚れるのを防止したが、本発明はこれに限定されるものではなく、和服の裾２１のみを留めることで、雨コート着用時において和服の裾が汚れることを防止することができる。以下に、裾汚れ防止用留具８の留め部分を和服の裾部分２１のみとした実施形態について説明する。図６は、本実施形態に係る帯板付着具１０の使用態様を示す説明図であり、図７は、本実施形態に係る雨コート使用時の態様を示す説明図である。なお、本実施形態において、上述した実施形態と同一の構成要素には同一の符号を付し、その機能等は特に言及しない限り同一であり、その説明は省略する。
【００３８】
（裾汚れ防止用留具の使用方法）
雨コート着用時の帯板付着具１０の使用方法は、図６に示すように、先ず、和服の裾２１の両端のみを帯２８上部まで捲り上げ、左右の裾をとじるように合わせて両方の把持部材１５で２箇所挟む。したがって、本実施形態においては、和服２０のみを捲り上げるので、長襦袢３０は、そのままの状態となる。なお、この時、和服２０の袖２９は入れ込まない。ただし振袖のように長い袂は、袖の一部を第１実施形態のように入れ込んでも良い。
【００３９】
次いで、和服の裾２１が裾汚れ防止用留具８に留められている状態で、図７に示すように、雨コート５０を着用する。
【００４０】
（作用・効果）
このような実施形態によれば、従来より和服に装着されてある帯板１７を利用し、それに連結部１２と連結された把持部材１５とによって、容易に和服の裾２１や袖２９を捲り上げ、その状態を維持することができるので、トイレ時や雨の日の外出時において和服２０の裾２１や袖２９の汚れやシワの発生を軽減することができる。
【００４１】
さらに、従来より和服２０に装着されてある帯板１７に付着しているので、外出時において裾汚れ防止用留具８を携帯し忘れることを防止することができる。また、不使用時には帯２８の内部に配置させ、使用時においてのみ連結部１２の先端に取り付けられた把持部材１５を帯２８の外方へ配置させるので、着物姿に影響を及ぼすことを防止する。
【００４２】
さらに、本実施形態において、連結部１２は、把持部材１５に接続され、可撓性を有する弾性ベルト１８と、一対の面状部材１３ａ，１３ｂが貼り合わされてなる板状の固定部１３と、弾性ベルト１８と固定部１３との間に配置され、弾性ベルト１８の後端部に接続されて弾性ベルト１８の延長部分を形成させる延長布地１６とを備え、延長布地１６は、延長部分のみが一対の面状部材１３ａ，１３ｂの間に挟み込まれ、弾性ベルトが一対の面状部材１３ａ，１３ｂの間に入り込まないようになっているので、一対の面状部材に挟まれる延長布地１６は、弾性ベルト１８よりも織糸が密で細かいため張りを有するので、連結部分に一定の強度を保つことができる。また、延長布地１６は弾性ベルト１８よりも厚みがないため、一対の面状部材１３ａ，１３ｂが重なり合った際に生じる内側の空間を狭くすることができ、それぞれの面状部材１３ａ，１３ｂをより接着させることができる。
【００４３】
［第３実施形態］
上述した実施形態において、固定部１３は、一対の面状部材１３ａ，１３ｂを張り合わせた構成としたが、本発明はこれに限定されるものではなく、一対の面状部材１３ａ，１３ｂのうち一方の面状部材１３ｂを省略することもできる。以下に、一対の面状部材１３ａ，１３ｂのうち一方の面状部材１３ｂを省略した実施形態について説明する。図８は、本実施形態に係る裾汚れ防止用留具８の一部を示す説明図である。なお、本実施形態において、上述した実施形態と同一の構成要素には同一の符号を付し、その機能等は特に言及しない限り同一であり、その説明は省略する。
【００４４】
本実施形態において、固定部１３は、図８（ａ）に示すように、一対の面状部材１３ａ，１３ｂのうち一方の面状部材１３ａのみの構成となっている。そして、面状部材１３ａは、帯板の裏面１７ａに対向して配置されている。さらに、連結部１２の延長布地１６は、その面状部材１３ａと帯板１７との間に挟み込む位置に配置されている。そして、固定部１３は、図８（ｂ）に示すように、面状部材１３ａと帯板１７が直接接着し、連結部１２に連結された把持部材１５を帯板１７に固定する。
【００４５】
（作用・効果）
このような実施形態によれば、裾汚れ防止用留具８は取り外す必要がないので、制作時において、一緒に帯板１７に裾汚れ防止用留具８を付着させて帯板付着具１０を製作することができる。また、帯板１７が一方の面状部材１３ｂの役割を果たし、裾汚れ防止用留具８を帯板１７に直接接着させることができるので、一方の面状部材が不要となり、部品点数を軽減することができるとともに、裾汚れ防止用留具８の厚みを軽減し、着物姿に影響を及ぼすことを防止することができる。さらに、外出の際に裾汚れ防止用留具８を携帯し忘れることを防止することができる。
【符号の説明】
【００４６】
８…裾汚れ防止用留具
１０…帯板付着具
１２…連結部
１３…固定部
１３ａ，１３ｂ…面状部材
１３ｃ…ボール紙
１３ｄ…布地
１５…把持部材
１５ａ，１５ｂ…上下の把持部
１５ｃ…軸受け
１５ｄ…維持部
１６…延長布地
１７…帯板
１７ａ…帯板上部
１７ｂ…帯板裏面
１８…弾性ベルト
１９…接着部
２０…和服
２１…和服の裾
２１ａ…和服の裾の裏側
２８…帯
２９…和服の袖
３０…長襦袢の衿
３１…長襦袢の裾
３１ａ…長襦袢の裾の裏側
３２…和服の下着（裾除）
５０…雨コート  
【図１】
2011058140.tif 000003
【図２】
2011058140.tif 000004
【図３】
2011058140.tif 000005
【図４】
2011058140.tif 000006
【図５】
2011058140.tif 000007
【図６】
2011058140.tif 000008
【図７】
2011058140.tif 000009
【図８】
2011058140.tif 000010